(57)【要約】【課題】両面ユニット１００が複写機本体１内に完全に挿入されたとき、回動ユニット１０４が自動的に両面ユニット本体１０２に係止されるようにすること。【解決手段】複写機本体１に対し前後方向に引出及び挿入可能に装着された両面ユニット本体１０２と、両面ユニット本体１０２に回動可能に装着された回動ユニット１０４と、回動ユニット１０４を両面ユニット本体１０２に対し解除自在に係止する係止手段１１０とを備えた搬送ユニット１００；を備えた複写機。複写機本体１には、突起部１４０を備えたガイドレール１４２が配設され、回動ユニット１０４にはガイドレール１４２上に延び出す被ガイド突起１４４が配設されている。【選択図】  図９
2005114979.tif 000002
【特許請求の範囲】
【請求項１】
装置本体に対し前後方向に引出及び挿入可能に装着された搬送ユニット本体と、搬送ユニット本体に対し、後部を支点として手前側が上下方向に回動可能に装着された回動ユニットと、回動ユニットを搬送ユニット本体に対し解除自在に係止する係止手段とを備えた搬送ユニット；を備え、係止手段は、回動ユニットの手前側に回動可能に配設されたフックを含むフック機構と、搬送ユニット本体の手前側に設けられた係止部とを備えている画像形成装置において、
搬送ユニットが装置本体内に完全に挿入された相対位置関係において、装置本体には、搬送ユニットの手前側領域における一側外方を前後方向に延在しかつ手前から後方に向かって上方に延びてから下方に延びる突起部を備えたガイドレールが配設され、回動ユニットには、突起部の頂面を後方に超えた位置で回動ユニットの一側部から側外方にガイドレール上に延び出す被ガイド突起が配設され、搬送ユニットが、装置本体から引き出されかつ回動ユニットのフックが搬送ユニットの係止部に係止されない状態で装置本体内に挿入されると、回動ユニットの被ガイド突起がガイドレールの突起部にガイドされて突起部の頂面を乗り越える過程でフックが回動ユニットの手前側と共に上昇させられ、突起部が該頂面を乗り越えたときにフックが係止部に上方から係止される、
ことを特徴とする画像形成装置。
【請求項２】
装置本体に対し前後方向に引出及び挿入可能に装着されかつ横方向に延在する用紙搬送路のガイド上を備えた搬送ユニット本体と、搬送ユニット本体に対し、後部を支点として手前側が上下方向に回動可能に装着されかつ用紙搬送路の少なくとも一部領域におけるガイド下を備えた回動ユニットであって、ガイド下が用紙搬送路のガイド上に対し下方から間隔をおいて対向して用紙搬送路を形成するガイド位置と、ガイド下がガイド上に対し該間隔よりも大きく下方に離隔される開放位置とに回動可能な回動ユニットと、回動ユニットを搬送ユニット本体に対しガイド位置に解除自在に係止する係止手段とを備えた搬送ユニット；を備え、係止手段は、回動ユニットの手前側に回動可能に配設されたフックを含むフック機構と、搬送ユニット本体の手前側に設けられた係止部とを備えている画像形成装置において、
搬送ユニットが装置本体内に完全に挿入された相対位置関係において、装置本体には、搬送ユニットの手前側領域における一側外方を前後方向に延在しかつ手前から後方に向かって上方に延びてから下方に延びる突起部を備えたガイドレールが配設され、回動ユニットには、突起部の頂面を後方に超えた位置で回動ユニットの一側部から側外方にガイドレール上に延び出す被ガイド突起が配設され、搬送ユニットが、装置本体から引き出されかつ回動ユニットが開放位置に回動された状態で装置本体内に挿入されると、回動ユニットの被ガイド突起がガイドレールの突起部にガイドされて突起部の頂面を乗り越える過程でフックが回動ユニットの手前側と共に上昇させられ、突起部が該頂面を乗り越えたときにフックが係止部に上方から係止され、回動ユニットはガイド位置に係止される、
ことを特徴とする画像形成装置。
【請求項３】
ガイドレールの突起部は湾曲上面を有している、請求項１又は請求項２記載の画像形成装置。
【請求項４】
回動ユニットの被ガイド突起の、ガイドレールの突起部にガイドされる下面は曲面からなる、請求項１〜３にいずれか１項に記載の画像形成装置。
【請求項５】
回動ユニットには、回動ユニットの前端から手前側に延び出す支持部が配設され、フック機構は、支持部上に回動自在に支持された基部と、基部から上方に延びて上端部に該フックが形成されたフック本体と、基部から手前側に延び出す操作レバーと、フック本体をほぼ直立した係止位置に常時付勢するばね手段とを備え、該フックが係止部に対し上方から係止された該係止位置に位置付けられた状態で操作レバーを下方に回動させると、該フックがフック本体と共に手前側に回動させられて該フックの、係止部に対する係止が解除されて回動ユニットはガイド位置から開放位置に回動可能となる、請求項１〜４のいずれか１項に記載の画像形成装置。
【請求項６】
搬送ユニットは、画像形成搬送路の下流から反転搬入された用紙が搬送方向を逆転して搬出される逆転搬送路と、逆転搬送路から逆転搬出されかつ再反転搬入された用紙が画像形成搬送路の上流において更に反転して再搬入されるよう搬送される再給紙搬送路であって逆転搬送路の下方を延在する再給紙搬送路とを含む両面ユニットからなり、該用紙搬送路は再給紙搬送路からなる、請求項２〜５のいずれか1項に記載の画像形成装置。
【発明の詳細な説明】
【技術分野】
【０００１】
装置本体に対し前後方向に引出及び挿入可能に装着された搬送ユニット、例えば、画像形成搬送路の下流から反転搬入された用紙が搬送方向を逆転して搬出される逆転搬送路と、逆転搬送路から逆転搬出されかつ再反転搬入された用紙が画像形成搬送路の上流において更に反転して再搬入されるよう搬送される再給紙搬送路であって逆転搬送路の下方を延在する再給紙搬送路とを含む両面ユニット、を備えた画像形成装置、例えば静電複写機、レーザプリンタなどの画像形成装置に関する。
【背景技術】
【０００２】
複数枚の用紙に対し連続して片面に画像を形成し、片面に画像が形成された用紙を搬送の途中においてスタックしないで再給紙することにより他面にも画像を形成する形態の画像形成装置は公知である（特許文献１参照）。上記画像形成装置は、搬送される用紙に画像が形成される画像形成搬送路と、画像形成搬送路の下流から反転搬入された用紙が搬送方向を逆転して搬出される逆転搬送路と、逆転搬送路から逆転搬出されかつ再反転搬入された用紙が画像形成搬送路の上流において更に反転して再搬入されるよう搬送される再給紙搬送路であって逆転搬送路の下方を延在する再給紙搬送路とを備えている。
【０００３】
逆転搬送路と、逆転搬送路の下方を延在する再給紙搬送路とが、搬送ユニットである両面ユニットに配設されて、装置本体に対し前後方向に引出及び挿入可能に装着された画像形成装置もすでに実用化されている。この両面ユニットは、装置本体に対し前後方向に引出及び挿入可能に装着されかつ横方向に延在する再給紙搬送路のガイド上を備えた両面ユニット本体と、両面ユニット本体に対し、後部を支点として手前側が上下方向に回動可能に装着されかつ再給紙搬送路の一部領域におけるガイド下を備えた回動ユニットであって、ガイド下が再給紙搬送路のガイド上に対し下方から間隔をおいて対向して再給紙搬送路を形成するガイド位置と、ガイド下がガイド上に対し該間隔よりも大きく下方に離隔される開放位置とに回動可能な回動ユニットと、回動ユニットを搬送ユニット本体に対しガイド位置に解除自在に係止する係止手段とを備えている。係止手段は、回動ユニットの手前側に回動可能に配設されたフックと、搬送ユニット本体の手前側に設けられた係止軸とを備えている。
【０００４】
回動ユニットのフックが両面ユニット本体の係止軸に係止されると、回動ユニットはガイド位置に係止され、フックの、係止軸に対する係止を解除すると、回動ユニットは開放位置に回動可能となる。両面ユニットが、装置本体から引き出されかつ回動ユニットが開放位置に回動されると、再給紙搬送路の少なくとも一部領域が下方に開放されるので、ジャム処理が容易となる。他方、ジャム処理が修了した後、回動ユニットを開放位置から上方に回動させると、フックが、両面ユニット本体の係止軸に係止されて、回動ユニットはガイド位置に係止される。この状態で両面ユニットを装置本体に対し後方に移動させることにより、装置本体内の所定の挿入位置に完全に挿入することができる。
【０００５】
しかしながら、ジャム処理が修了した後、回動ユニットを開放位置から上方に回動させたときに、フックが、両面ユニット本体の係止軸に係止しない状態で、すなわち、回動ユニットがガイド位置に係止されない状態のまま、両面ユニットを装置本体内に挿入してしまう場合がある。このような場合には、両面ユニットの、装置本体内への挿入動作を再度行う必要が生ずるので、ジャム処理完了までの時間が長くなる。また、回動ユニットが装置本体に衝突して損傷するおそれもある。
【０００６】
【特許文献１】特開２００２−３６５８６２号公報
【発明の開示】
【発明が解決しようとする課題】
【０００７】
本発明の目的は、回動ユニットが搬送ユニット本体に係止されない状態のまま、搬送ユニットを装置本体内に挿入させた場合においても、搬送ユニットが装置本体内に完全に挿入されたときには、回動ユニットが自動的に搬送ユニット本体に係止されることを可能にする、新規な画像形成装置を提供することである。
【課題を解決するための手段】
【０００８】
本発明の一局面によれば、装置本体に対し前後方向に引出及び挿入可能に装着された搬送ユニット本体と、搬送ユニット本体に対し、後部を支点として手前側が上下方向に回動可能に装着された回動ユニットと、回動ユニットを搬送ユニット本体に対し解除自在に係止する係止手段とを備えた搬送ユニット；を備え、係止手段は、回動ユニットの手前側に回動可能に配設されたフックを含むフック機構と、搬送ユニット本体の手前側に設けられた係止部とを備えている画像形成装置において、
搬送ユニットが装置本体内に完全に挿入された相対位置関係において、装置本体には、搬送ユニットの手前側領域における一側外方を前後方向に延在しかつ手前から後方に向かって上方に延びてから下方に延びる突起部を備えたガイドレールが配設され、回動ユニットには、突起部の頂面を後方に超えた位置で回動ユニットの一側部から側外方にガイドレール上に延び出す被ガイド突起が配設され、搬送ユニットが、装置本体から引き出されかつ回動ユニットのフックが搬送ユニットの係止部に係止されない状態で装置本体内に挿入されると、回動ユニットの被ガイド突起がガイドレールの突起部にガイドされて突起部の頂面を乗り越える過程でフックが回動ユニットの手前側と共に上昇させられ、突起部が該頂面を乗り越えたときにフックが係止部に上方から係止される、
ことを特徴とする画像形成装置、が提供される。
本発明の他の局面によれば、装置本体に対し前後方向に引出及び挿入可能に装着されかつ横方向に延在する用紙搬送路のガイド上を備えた搬送ユニット本体と、搬送ユニット本体に対し、後部を支点として手前側が上下方向に回動可能に装着されかつ用紙搬送路の少なくとも一部領域におけるガイド下を備えた回動ユニットであって、ガイド下が用紙搬送路のガイド上に対し下方から間隔をおいて対向して用紙搬送路を形成するガイド位置と、ガイド下がガイド上に対し該間隔よりも大きく下方に離隔される開放位置とに回動可能な回動ユニットと、回動ユニットを搬送ユニット本体に対しガイド位置に解除自在に係止する係止手段とを備えた搬送ユニット；を備え、係止手段は、回動ユニットの手前側に回動可能に配設されたフックを含むフック機構と、搬送ユニット本体の手前側に設けられた係止部とを備えている画像形成装置において、
搬送ユニットが装置本体内に完全に挿入された相対位置関係において、装置本体には、搬送ユニットの手前側領域における一側外方を前後方向に延在しかつ手前から後方に向かって上方に延びてから下方に延びる突起部を備えたガイドレールが配設され、回動ユニットには、突起部の頂面を後方に超えた位置で回動ユニットの一側部から側外方にガイドレール上に延び出す被ガイド突起が配設され、搬送ユニットが、装置本体から引き出されかつ回動ユニットが開放位置に回動された状態で装置本体内に挿入されると、回動ユニットの被ガイド突起がガイドレールの突起部にガイドされて突起部の頂面を乗り越える過程でフックが回動ユニットの手前側と共に上昇させられ、突起部が該頂面を乗り越えたときにフックが係止部に上方から係止され、回動ユニットはガイド位置に係止される、
ことを特徴とする画像形成装置、が提供される。
ガイドレールの突起部は湾曲上面を有している、ことが好ましい。
回動ユニットの被ガイド突起の、ガイドレールの突起部にガイドされる下面は曲面からなる、ことが好ましい。
回動ユニットには、回動ユニットの前端から手前側に延び出す支持部が配設され、フック機構は、支持部上に回動自在に支持された基部と、基部から上方に延びて上端部に該フックが形成されたフック本体と、基部から手前側に延び出す操作レバーと、フック本体をほぼ直立した係止位置に常時付勢するばね手段とを備え、該フックが係止部に対し上方から係止された該係止位置に位置付けられた状態で操作レバーを下方に回動させると、該フックがフック本体と共に手前側に回動させられて該フックの、係止部に対する係止が解除されて回動ユニットはガイド位置から開放位置に回動可能となる、ことが好ましい。
搬送ユニットは、画像形成搬送路の下流から反転搬入された用紙が搬送方向を逆転して搬出される逆転搬送路と、逆転搬送路から逆転搬出されかつ再反転搬入された用紙が画像形成搬送路の上流において更に反転して再搬入されるよう搬送される再給紙搬送路であって逆転搬送路の下方を延在する再給紙搬送路とを含む両面ユニットからなり、該用紙搬送路は再給紙搬送路からなる、ことが好ましい。
【発明を実施するための最良の形態】
【０００９】
以下、本発明に従って構成された画像形成装置の好適な実施の形態を添付図面を参照して詳細に説明する。
【００１０】
図１を参照して、画像形成装置である静電複写機は、一部のみが図示されている直方体状の装置本体である複写機本体１を備え、複写機本体１内には、画像形成搬送路２が、複写機の横方向（図１において左右方向）にほぼ水平に延在するよう配置されている。複写機本体１内にはまた、画像形成搬送路２に関連して、画像形成手段が配設されている。画像形成手段は、感光体ドラム４と、感光体ドラム４の周囲に配置された、主帯電器４ａ、図示しない露光手段、現像器４ｂ、転写手段４ｃ、用紙分離手段４ｄ、クリーナ４ｅ、図示しない除電器などの作像エレメントを備えている。画像形成搬送路２は、画像形成搬送路２における、感光体ドラム４よりも下流位置に配置された搬送ベルト機構６を備えている。画像形成手段はまた、画像形成搬送路２における、搬送ベルト機構６よりも下流位置に配置された定着装置８を備えている。画像形成搬送路２における、感光体ドラム４よりも上流位置（図１において右側の位置）には、その上流から下流に向かって、搬送ローラ１２及びレジストローラ１４がその順に配置されている。転写手段４ｃ及び分離手段４ｄは、画像形成搬送路２において、感光体ドラム４の下側から感光体ドラム４の外周面に対向するよう配置されている。定着装置８は、熱ローラ８ａ及び圧ローラ８ｂを備えている。画像形成搬送路２における、定着装置８の下流位置には搬送ローラ１６が配置されている。
【００１１】
複写機本体１内に配設された図示しない原稿読み取り装置によって読み取られた画像情報は、図示しない露光手段によって、主帯電器４ａにより一様に帯電された感光体ドラム４の表面に照射される。感光体ドラム４の表面には静電潜像が形成される。この静電潜像は現像器４ｂにより現像される。他方、搬送ローラ１２により搬送された用紙は、レジストローラ１４により所定のタイミングで感光体ドラム４と転写手段４ｃとにより形成される転写領域に向けて搬送される。用紙が転写領域を通過する間に、用紙の上向きの片面には、感光体ドラム４の表面に形成された現像が転写手段４ｃによって転写される。片面に画像が転写された用紙は、用紙分離手段４ｄによって感光体ドラム４の外周面から分離され、更に搬送ベルト機構６によって定着装置８に搬送されて、該画像は定着装置８を通過する間に用紙の片面に定着される。片面に画像が定着された用紙は搬送ローラ１６によって更に下流方向に搬送される。以上のとおりにして、画像形成搬送路２を用紙が搬送される間に、用紙の上側の片面に画像が形成される。
【００１２】
画像形成搬送路２は、その下流端部である搬送ローラ１６の下流位置において、排出路１８と反転路２０とに分岐されている。排出路１８は画像形成搬送路２の延長上に配置され、排出路１８の下流端部には排出ローラ２２が配設されている。反転路２０は、画像形成搬送路２の下流端部から下方に分岐しかつ反転して斜め下方に延び、逆転搬送路２４に接続されている。反転路２０には搬入ローラ２６及び２７が配設されている。排出路１８と反転路２０との分岐部には、分岐爪２８が配設されている。分岐爪２８は、図示しないアクチュエータにより、画像形成搬送路２を通して搬送された用紙を、排出路１８に向けて案内する図示の第１の案内位置と、反転路２０に向けて案内する図示しない第２の案内位置とに選択的に位置付けられる。逆転搬送路２４は、画像形成搬送路２の下方に間隔をおいて複写機本体の横方向に延在している。逆転搬送路２４における、反転路２０の出口に近い位置には、スイッチバックローラ（逆転搬送ローラ）３０が配設されている。
【００１３】
逆転搬送路２４は、反転路２０との接続部を越えて画像形成搬送路２の下流方向に延び、下方に反転して再給紙搬送路３２に接続されている。再給紙搬送路３２は、逆転搬送路２４の下方に間隔をおいてほぼ水平に複写機本体１の横方向に延在している。逆転搬送路２４の反転部には、大径の反転ローラ３４と、反転ローラ３４に圧接された小径の押さえローラ３６とを備えている。再給紙搬送路３２には、搬送ローラ４０、４２及び４４が上流から下流に向ってこの順序で配設されている。
【００１４】
複写機本体１内の図１において右端部には、給紙搬送路４５が配設されている。給紙搬送路４５は、ほぼ鉛直方向に延びてから斜め上方に湾曲して延びて画像形成搬送路２の上流端部である搬送ローラ１２の直上流位置に接続されている。給紙搬送路４５には、給紙ローラ４６及び４７が上流から下流に向かってこの順序で配設されている。給紙搬送路４５の、給紙ローラ４６よりも上流には図示しない複数の他の給紙ローラが配設されている。上記再給紙搬送路３２の下流領域は、上方に向って傾斜して、給紙搬送路４５における給紙ローラ４７の上流側に接続されている。再給紙搬送路３２の下方には、複数の用紙積載トレイ及び複数の給紙カセットが配設されている（いずれも図示せず）。
【００１５】
逆転搬送路２４の反転部における、反転ローラ３４と押さえローラ３６とのニップ部の下流側と、排出路１８における、排出ローラ２２の上流側との間には、反転排出路５０が配設されている。反転排出路５０は、片面に画像が形成された用紙を反転して画像面を下に向け排出してページ順に揃えるための排出路であって、反転排出ローラ５２も配設されている。逆転搬送路２４の反転部と反転排出路５０との分岐部には分岐爪５４が配設されている。分岐爪５４（図１において右側の先端部が切り欠かれて図示されている分岐爪５４）は、図示しないアクチュエータにより、逆転搬送路２４からスイッチバック（逆転搬送）された用紙を、反転排出路５０に向けて案内する図示の第１の案内位置と、再給紙搬送路３２に向けて案内する図示しない第２の案内位置とに選択的に位置付けられる。
【００１６】
例えば、図示しない用紙積載トレイに積載された用紙は、図示しないピックアップローラ及び分離ローラなどにより１枚だけ給紙搬送路４５に送り出され、給紙ローラ４６及び４７により給紙搬送路４５を通して、画像形成搬送路２に給紙され、先に述べたとおりにして片面に画像が形成される。上記分岐爪２８が図示の第１の案内位置に位置付けられると、画像形成搬送路２を通して搬送された用紙は、排出路１８を通して排出ローラ２２により図示しない排出トレイに画像面を上にして排出される。また分岐爪２８が図示しない第２の案内位置に位置付けられると、画像形成搬送路２を通して搬送された用紙は、反転路２０を通して搬入ローラ２６及び２７により逆転搬送路２４に表裏が反転されて搬入される。逆転搬送路２４に搬入された用紙は、スイッチバックローラ３０により逆転搬送路２４を画像形成搬送路２の上流方向に所定位置まで送られて停止させられる（スイッチバックローラ３０は、用紙の一端部をニップした状態で停止させられる）。
【００１７】
続いてスイッチバックローラ３０が逆転されると、スイッチバックローラ３０にニップされた用紙（表裏反転して画像面が下向き）は、反転ローラ３４と押さえローラ３６とのニップ部に向けて逆転搬送される。分岐爪６４が図示の第１の案内位置に位置付けられると、反転ローラ３４と押さえローラ３６によりニップされた用紙は、反転排出路５０に向けて案内され、反転排出ローラ５２及び排出ローラ２２により図示しない排出トレイに画像面を下にして排出される。
【００１８】
分岐爪５４が図示しない第２の案内位置に位置付けられると、反転ローラ３４と押さえローラ３６によりニップされた用紙は、反転ローラ３４の外周面に沿って移動する間に再反転させられて再給紙搬送路３２に搬入される。再給紙搬送路３２に搬入された用紙は、表裏再反転して画像面が上向きの状態で第１、第２及び第３搬送ローラ４０、４２及び４４により搬送されて、給紙搬送路４５における、給紙ローラ４７の上流側に搬出され、画像形成搬送路２に更に反転して再搬入される。画像面を下にして画像形成搬送路２に再搬入された用紙が再び画像形成搬送路２を搬送される間に、画像形成手段により用紙の他面にも画像が形成される。両面に画像が形成された用紙は、図示の第１の案内位置に位置付けられた分岐爪２８に案内され、排出路１８を通して排出ローラ２２により図示しない排出トレイに排出される。
【００１９】
上記した複写機は、複写機本体１に対し前後方向に引出及び挿入可能に装着された搬送ユニットである両面ユニット１００を備えている。両面ユニット１００は、逆転搬送路２４と、用紙搬送路である再給紙搬送路３２とを含んでいる。図示の実施形態において、両面ユニット１００は、更に、反転路２０の下流端領域におけるガイド上２０ａ、逆転搬送路２４に配設されたスイッチバックローラ３０、反転ローラ３４と押さえローラ３６、分岐爪５４、再給紙搬送路３２に配設された第１、第２及び第３搬送ローラ４０、４２及び４４を含んでいる。なお、再給紙搬送路３２は、ガイド上３２ａと、ガイド上３２ａに対し下方に所定の間隔をおいて対向するガイド下３２ｂとを備えている。
【００２０】
図１〜図４を参照して、両面ユニット１００は、搬送ユニット本体である両面ユニット本体１０２と、両面ユニット本体１０２の、回動ユニット１０４とを備えている。回動ユニット１０４は、両面ユニット本体１０２を手前側から見て（正面から見て）、左側領域において、両面ユニット本体１０２に対し、後部を支点として手前側が上下方向に回動自在に装着されている。なお、両面ユニット１００の前側とは、両面ユニット１００が複写機本体１に装着された状態において、複写機本体１を正面から見た手前側（図１において表面側）を示し、両面ユニット１００の後側とは、手前側に対して反対側（図１において裏面側）を示すものである。
【００２１】
両面ユニット本体１０２は、横方向に延在する上記再給紙搬送路３２のガイド上３２ａを備えている。回動ユニット１０４は、再給紙搬送路３２の少なくとも一部領域、実施形態においては、再給紙搬送路３２の中央に対しほぼ上流側領域におけるガイド下３２ｂを備えている。したがって、両面ユニット本体１０２は、再給紙搬送路３２の他の領域、実施形態においては、再給紙搬送路３２の中央に対しほぼ下流領域において、再給紙搬送路３２のガイド上３２ａとガイド下３２ｂの両方を備えている。
【００２２】
両面ユニット本体１０２と回動ユニット１０４を備えた両面ユニット１００の横方向両側には、図５及び図６に示すように、スライドレール手段１０６及び１０８がそれぞれ前後方向に延在するよう配設されている。公知の構成を利用することでよいスライドレール手段１０６及び１０８は、それぞれ静止レールと可動レールとから構成されている。そして、スライドレール手段１０６及び１０８の各々の静止レールが、それぞれ複写機本体１に配設された両面ユニット１００のための図示しない収納凹部の横方向両側に固定されることにより、両面ユニット１００は、複写機本体１に対し前後方向に引出及び挿入可能に装着される。スライドレール手段１０６は、図示しない収納凹部の一側（図１において左側）に配置され、スライドレール手段１０８は、図示しない収納凹部の他側（図１において右側）に配置される。なお、図２〜図４において、両面ユニット１００の左側のスライドレール手段１０６は図示を省略してある。
【００２３】
回動ユニット１０４は、ガイド下３２ｂがガイド上３２ａに対し下方から所定の間隔をおいて対向して再給紙搬送路３２を形成するガイド位置（図１及び図２に示される位置）と、ガイド下３２ｂがガイド上３２ａに対し該間隔よりも大きく下方に離隔される開放位置（図３及び図４に示される位置）とに回動可能である。なお、回動ユニット１０４の開放位置は、回動ユニット１０４と両面ユニット本体１０２との間に配設された図示しない回動規制手段により適宜に設定することができる。
【００２４】
図７〜図９を参照して、両面ユニット１００はまた、回動ユニット１０４を両面ユニット本体１０２に対し解除自在に係止する係止手段１１０、実施形態においては回動ユニット１０４を両面ユニット本体１０２に対しガイド位置に解除自在に係止する係止手段１１０を備えている。係止手段１１０は、回動ユニット１０４の手前側に回動可能に配設された一対のフック１１２を含むフック機構１１４と、両面ユニット本体１０２の手前側に設けられた一対の係止部１１６とを備えている。
【００２５】
回動ユニット１０４には、回動ユニット１０４の前端から手前側に延び出す支持部１１８が配設されている。支持部１１８は、所定の厚さを有すると共に平面矩形状をなしている。支持部１１８には、横方向（図８において上下方向、図９において紙面に垂直な方向）に間隔をおいて同軸上に配置された一対の軸受部１２０が、支持部１１８の上面から上方に延び出すよう配設されている。フック機構１１４は、軸受部１２０の各々間に両側部がそれぞれ軸１２２を介して回動自在に支持された基部１２４と、基部１２４から上方に延びて上端部にフック１１２が形成された一対のフック本体１２６と、基部１２４から手前側に延び出す操作レバー１２８と、フック本体１２６の各々をほぼ直立した係止位置（図９に示される位置）に常時付勢する図示しないばね手段とを備えている。一対のフック本体１２６は、上記横方向に間隔をおいて配置されている。
【００２６】
図示しないばね手段は、支持部１１８の上面と基部１２４との間に配設された圧縮コイルばねあるいは板ばね、軸１２２の各々に巻き掛けられかつ一端が軸受部１２０に係止され、他端が基部１２４に係止されたねじりコイルばねなどから構成することができる。ばね手段は、フック本体１２６を図９において反時計方向に回動させるよう付勢するが、基部１２４の後端上部から後方に延び出す一対のストップ片１３０の下面が、支持部１１８の、対応する上面から上方に延び出すよう配設された受け部１３２の上面に圧接されることにより、フック本体１２６は係止位置に位置付けられる。
【００２７】
両面ユニット本体１０２の手前側に設けられた係止部１１６の各々は、両面ユニット本体１０２の前壁１０２ａから手前側に水平に延び出すよう一体に形成された突状片から構成されている。突状片の各々は、所定の厚さを有すると共に平面が矩形状をなしている。
【００２８】
フック１１２の各々が、対応する係止部１１６に対し上方から係止された上記係止位置に位置付けられた状態で、操作レバー１２８を下方に回動させると（図９において時計方向に回動させると）、フック１１２の各々がフック本体１２６と共に両面ユニット本体１０２の手前側に回動させられてフック１１２の各々の、係止部１１６に対する係止が解除されて、回動ユニット１０４はガイド位置から開放位置に回動可能となる。
【００２９】
両面ユニット１００が複写機本体１内に完全に挿入された相対位置関係において、複写機本体１には、両面ユニット１００の手前側領域における一側外方（実施形態においては左側外方）を前後方向に延在しかつ手前から後方に向かって上方に延びてから下方に延びる突起部１４０を備えたガイドレール１４２が配設されている。ガイドレール１４２は、一定の厚さ及び幅を有するよう形成されている。ガイドレール１４２の突起部１４０は前後方向に延在する湾曲上面を有し、ガイドレール１４２の突起部１４０よりも後方の領域はほぼ水平に延在している。ガイドレール１４２は、複写機本体１に配設された、両面ユニット１００のための上記図示しない収納凹部の横方向の一側（図１において左側）に配設されたスライドレール手段１０６に近接した下方位置に配置されている。
【００３０】
両面ユニット１００が複写機本体１内に完全に挿入された相対位置関係において、回動ユニット１０４には、ガイドレール１４２の突起部１４０の頂面を後方に超えた位置で回動ユニット１０４の一側部（図７において左側部）から側外方にガイドレール１４２上に延び出す被ガイド突起１４４が配設されている。被ガイド突起１４４の、ガイドレール１４２の突起部１４０に当接してガイドされる下面は曲面から形成されている。
【００３１】
図３、図４及び図９を参照して、両面ユニット１００が複写機本体１内から引き出された状態で、操作レバー１２８を下方に回動させると、フック１１２の各々がフック本体１２６と共に両面ユニット本体１０２の手前側に回動させられてフック１１２の各々の、対応する係止部１１６に対する係止が解除されるので、回動ユニット１０４はガイド位置（図２に示される位置）から開放位置（図３及び図４に示される位置）に回動することができる。再給紙搬送路３２の上流側領域におけるガイド上３２ａの下方が大きく開放されるので、ジャム処理を容易に行うことができる。
【００３２】
ジャム処理終了後、回動ユニット１０４の手前側を上方に十分に回動させると、フック１１２の各々が回動ユニット１０４の手前側と共に十分に上昇させられて、両面ユニット本体１０４の、対応する係止部１１６を上方に乗り越えてフック１１２の各々が、対応する係止部１１６に上方から係止される。回動ユニット１０４はガイド位置に係止される。この状態で回動ユニット１０４を複写機本体１内に挿入すると、回動ユニット１０４の被ガイド突起１４４の下面は、ガイドレール１４２の突起部１４０の頂面を若干低い位置で通過するよう、両者の位置関係が規定されているので、被ガイド突起１４４の下面は、ガイドレール１４２の突起部１４０の頂面のわずかな領域を接触して通過する。このとき、回動ユニット１０４の手前側はが若干上昇させられ、フック１１２の各々が回動ユニット１０４の手前側と共に若干上昇させられて、対応する係止部１１６に対し若干上方に離隔するが、被ガイド突起１４４の下面がガイドレール１４２の突起部１４０の頂面を通過した直後、直ちに、回動ユニット１０４の手前側が若干下降させられ、フック１１２の各々が回動ユニット１０４の手前側と共に若干下降させられるので、フック１１２の各々は、対応する係止部１１６に上方から係止される。その結果、回動ユニット１０４はガイド位置に係止された状態に維持されて、複写機本体１内に完全に挿入される。このような動作は、両面ユニット１００を複写機本体１から引き出す場合においても実質的に同じである。
【００３３】
他方、ジャム処理終了後、ユーザーが誤って、回動ユニット１０４のフック１１２の各々が、両面ユニット本体１０４の、対応する係止部１１６に係止されない状態で、すなわち、回動ユニット１０４がガイド位置に係止されることなく、開放位置に回動された状態で複写機本体１内に挿入した場合には、回動ユニット１０４の被ガイド突起１４４の下面がガイドレール１４２の突起部１４０の上面にガイドされて突起部１４０の頂面を乗り越える過程でフック１１２の各々が回動ユニット１０４の手前側と共に上昇させられる。そして、突起部１４０が該頂面に達したとき、回動ユニット１０４の手前側は最高の位置まで上昇させられるので、フック１１２の各々が回動ユニット１０４の手前側と共に最高位置まで上昇させられる。フック１１２の各々は（正確にはフック１１２の各々の係止下面は）、両面ユニット本体１０４の、対応する係止部１１６を上方に乗り越えてフック１１２の各々が（正確にはフック１１２の各々の係止下面が）、対応する係止部１１６の上面を上方にわずかに越えた対向位置まで上昇させられる。突起部１４０が該頂面を後方に乗り越えると、回動ユニット１０４の手前側は最高の位置から下降するので、フック１１２の各々が回動ユニット１０４の手前側と共に最高位置から下降する。その結果、フック１１２の各々は（正確にはフック１１２の各々の係止下面は）、対応する係止部１１６に対し上方から係止され、回動ユニット１０４はガイド位置に係止される。
【００３４】
上記説明から容易に理解されるように、本発明によれば、回動ユニット１０４が両面ユニット本体１０２に係止されない状態のまま、両面ユニット１００を複写機本体１内に挿入させた場合においても、両面ユニット１００が複写機本体１内に完全に挿入されたときには、回動ユニット１０４が自動的に両面ユニット本体１０４に係止されるので、従来のように、両面ユニット１００の、複写機本体１内への挿入動作を再度行う必要がなく、ジャム処理開始から完了までの時間を短縮することができる。また、両面ユニット１００の、複写機本体１内への挿入動作が容易かつ確実となる。ガイドレール１４２の突起部１４０は湾曲上面を有しているので、回動ユニット１０４の被ガイド突起１４４を傷付けることなく、円滑にガイドすることができる。また、回動ユニット１０４の被ガイド突起１４４の、ガイドレール１４２の突起部１４０にガイドされる下面は曲面からなるので、ガイドレール１４２の突起部１４０に円滑にガイドされる。
【００３５】
本発明は、上記実施形態におけるような、両面ユニットを備えた複写機に限定されることはなく、装置本体に対し前後方向に引出及び挿入可能に装着された搬送ユニット本体と、搬送ユニット本体に対し、後部を支点として手前側が上下方向に回動可能に装着された回動ユニットと、回動ユニットを搬送ユニット本体に対し解除自在に係止する係止手段とを備えた搬送ユニット；を備えた画像形成装置であれば、適用可能である。
【図面の簡単な説明】
【００３６】
【図１】本発明に従って構成された静電複写機の好適実施形態の構成の一部を示す断面図。
【図２】図１に示す静電複写機に装着される両面ユニットの一部を省略した斜視図であって、前側から見た斜視図。
【図３】図２に示す両面ユニットにおいて、回動ユニットが開放位置に回動された状態を示す斜視図。
【図４】図３に示す両面ユニットを図３において左側から見た側面図。
【図５】図２に示す両面ユニットの、他の一部を省略して示す斜視図であって、前側から見た斜視図。
【図６】図５に示す両面ユニットを後側から見た斜視図。
【図７】図２に示す回動ユニット（一部を省略）及びガイドレールを示す斜視図。
【図８】図７に示す回動ユニット及びガイドレールの平面図であって一部を省略して示す平面図。
【図９】回動ユニットが両面ユニットに係止された状態とガイドレールとの位置関係を示す側面概略図。
【符号の説明】
【００３７】
１：複写機本体
２：画像形成搬送路
２４：逆転搬送路
３２：再給紙搬送路
１００：両面ユニット
１０２：両面ユニット本体
１０４：回動ユニット 
１１０：係止手段
１１２：フック
１１４：フック機構
１１６：係止部
１１８：支持部
１２４：基部
１２６：フック本体
１２８：操作レバー
１４０：突起部
１４２：ガイドレール
１４４：被ガイド突起
【図１】
2005114979.tif 000003
【図２】
2005114979.tif 000004
【図３】
2005114979.tif 000005
【図４】
2005114979.tif 000006
【図５】
2005114979.tif 000007
【図６】
2005114979.tif 000008
【図７】
2005114979.tif 000009
【図８】
2005114979.tif 000010
【図９】
2005114979.tif 000011